(57)【特許請求の範囲】
【請求項１】
フロント面の中央に窓部(11)を備え、かつ、フロント面に異形鉄筋(Ｒ)を遊嵌可能なガイド溝(12)が前記窓部(11)を通るように上下方向に設けられたケース体であって、このケースの下面或いは上面のガイド溝(12)を挟む位置に、先端に上下方向の折返し部(13a)を有する屈曲片(13・13)が前方に突き出した状態で付設されて成る器具本体(１)と；一方の端部から他端側に向けて次第に幅が拡がる形状を成す楔形板材(２)とを含んで構成され、
前記器具本体(１)のガイド溝(12)に異形鉄筋(Ｒ)を遊嵌させた状態で、左右の屈曲片(13・13)の折返し部(13a・13a)と異形鉄筋(Ｒ)の環状溝(Ｄ)の間に楔形板材(２)を差し込むことにより器具本体(１)を異形鉄筋(Ｒ)に固定可能としたことを特徴とする鉄筋溶断用火の粉養生具。
【請求項２】
器具本体(１)の後壁部(Ｂ)の背面側に熱を分散吸収可能な裏板(14)を取り付けたことを特徴とする請求項１記載の鉄筋溶断用火の粉養生具。
【請求項３】
器具本体(１)のケース外壁を２重壁構造として壁間の中空部(15)により断熱性を高めたことを特徴とする請求項１または２に記載の鉄筋溶断用火の粉養生具。
【請求項４】
器具本体(１)にガイド溝(12)よりも広幅の窓部(11)が形成されていることを特徴とする請求項１〜３の何れか一つに記載の鉄筋溶断用火の粉養生具。
【請求項５】
器具本体(１)と楔形板材(２)とが連結チェーン(21)または連結ワイヤで連結されていることを特徴とする請求項１〜４の何れか一つに記載の鉄筋溶断用火の粉養生具。
【請求項６】
器具本体(１)の側面部分に把手部(16)が前後方向に傾けて設けられていることを特徴とする請求項１〜５の何れか一つに記載の鉄筋溶断用火の粉養生具。
【請求項７】
両端部(31)が、互いに着脱自在に連結可能な落下防止ワイヤ(３)又は落下防止チェーンを含んで構成され、前記落下防止ワイヤ(３)又は落下防止チェーンにより、この器具本体(１)の把手部(16)と、当該器具本体(１)の上方に配置された横架材とを連結して落下を防止するようにしたことを特徴とする請求項１〜６の何れか一つに記載の鉄筋溶断用火の粉養生具。
【発明の詳細な説明】
【技術分野】
【０００１】
本発明は、鉄筋溶断用火の粉養生具の改良、詳しくは、ガスバーナーを用いた異形鉄筋の溶断作業を安全に行うことができ、しかも、径の異なる鉄筋にも対応できる鉄筋溶断用火の粉養生具に関するものである。
【背景技術】
【０００２】
周知のとおり、建築物のコンクリートスラブやコンクリート壁には補強材として鉄筋を入れたものが多く、これらの鉄筋には、コンクリートとの接着性を高めるために丸鋼側面を凹凸状とした異形鉄筋が使用される。
【０００３】
また、上記異形鉄筋の加工に関しては、一般的にガスバーナーを使用して鉄筋を加熱溶融させて切断を行っているが、その際、加熱部分からは多くの火花や溶融玉が飛散するため、周囲の作業者にとって非常に危険な状態となるだけでなく、周囲の可燃性資材に飛び火して火事を起こす危険性もある。
【０００４】
そこで、従来においては、異形鉄筋の溶断作業時に予め鉄筋の溶断部分をケース体で被覆して火花等の飛散を防止する火の粉養生具が開発され(特許文献１参照)、このような養生具を使用することで周囲の作業者や資材を火花等から保護している。
【０００５】
ちなみに、上記文献１に係る火の粉養生具は、縦方向に分割したパーツ同士をヒンジ連結することでケースを開閉可能としており、また各パーツの上下面には半円型の切欠部を形成して、この切欠部を異形鉄筋の環状溝に嵌め合わせることでケースを鉄筋に固定可能としている。
【０００６】
しかしながら、上記従来の火の粉養生具においては、異形鉄筋の環状溝に適合するサイズの切欠部を備えている必要があることから、径の異なる鉄筋には同じ器具を使うことができず、多様な太さの鉄筋を取り扱う現場では、径に応じた器具を多数準備しておく必要が生じコストが無駄にかかり易かった。
【先行技術文献】
【特許文献】
【０００７】
【特許文献１】実公昭５９−２９７９３号公報（第１−３頁、第１〜４図）
【発明の開示】
【発明が解決しようとする課題】
【０００８】
本発明は、上記の如き問題に鑑みて為されたものであり、その目的とするところは、ガスバーナーを用いた異形鉄筋の溶断作業を周囲の作業者に危険を及ぼすことなく安全に行うことができ、しかも、径の異なる鉄筋にも使える経済的な鉄筋溶断用火の粉養生具を提供することにある。
【課題を解決するための手段】
【０００９】
本発明者が上記課題を解決するために採用した手段を添付図面を参照して説明すれば次のとおりである。
【００１０】
即ち、本発明は、フロント面の中央に窓部11を備え、かつ、フロント面に異形鉄筋Ｒを遊嵌可能なガイド溝12が前記窓部11を通るように上下方向に設けられたケース体であって、このケースの下面或いは上面のガイド溝12を挟む位置に、先端に上下方向の折返し部13aを有する屈曲片13・13が前方に突き出した状態で付設されて成る器具本体１と；一方の端部から他端側に向けて次第に幅が拡がる形状を成す楔形板材２とを含んで構成し、
前記器具本体１のガイド溝12に異形鉄筋Ｒを遊嵌させた状態で、左右の屈曲片13・13の折返し部13a・13aと異形鉄筋Ｒの環状溝Ｄの間に楔形板材２を差し込むことにより器具本体１を異形鉄筋Ｒに固定可能とした点に特徴がある。
【００１１】
また本発明では、必要に応じて上記技術的手段に加え、器具本体１の後壁部Ｂの背面側に裏板14を取り付けて、溶断作業時にガスバーナーや火の粉で加熱された後壁部Ｂの熱の分散および放熱を促進して後壁部Ｂの耐熱性を高めるという技術的手段を採用することもできる。
【００１２】
そしてまた、本発明では、必要に応じて上記技術的手段に加え、器具本体１のケース外壁を２重壁構造として壁間の中空部15により断熱性を高めるという技術的手段を採用することもできる。
【００１３】
また本発明では、必要に応じて上記技術的手段に加え、器具本体１にガイド溝12よりも広幅の窓部11を形成して火の粉の受け入れ口を拡げるという技術的手段を採用することもできる。
【００１４】
他方また、本発明においては、必要に応じて上記技術的手段に加え、器具本体１と楔形板材２とを連結チェーン21または連結ワイヤによって連結して楔形板材２の紛失を防止するという技術的手段を採用することもできる。
【００１５】
また本発明では、必要に応じて上記技術的手段に加え、器具本体１の把手部16を隣の異形鉄筋に接触しないように器具側面に前後方向に傾けて設けるという技術的手段を採用することもできる。
【００１６】
そしてまた、本発明では、必要に応じて上記技術的手段に加え、両端部(31)が、互いに着脱自在に連結可能な落下防止ワイヤ(３)又は落下防止チェーンを含んで構成し、前記落下防止ワイヤ(３)又は落下防止チェーンにより、この器具本体(１)の把手部(16)と、当該器具本体(１)の上方に配置された横架材とを連結して落下を防止するという技術的手段を採用することもできる。
【発明の効果】
【００１７】
本発明では、火の粉養生具の器具本体を、フロント面に窓孔とガイド溝とを備えたケース体によって作製し、更にケース下面のガイド溝を挟む位置には屈曲片を付設して構成したことにより、器具本体のガイド溝に異形鉄筋を遊嵌させた後、屈曲片の折返し部と異形鉄筋の環状溝の間に生じる隙間に楔形の板材を差し込むだけで簡単に器具本体を異形鉄筋に取り付け固定することができる。
【００１８】
しかも、上記固定手段を採用したことによって同一の器具を楔形板材の差込み深さを変えるだけで径の異なる異形鉄筋に使い回すことができるため(異形鉄筋が大径の場合には浅く差込み、小径の場合には深く差込む)、鉄筋の径の大きさ毎に器具を購入する必要がなくなり、コスト面でのメリットも得られる。
【００１９】
また、上記器具本体は、縦方向に配置された鉄筋だけでなく横方向に配置された鉄筋に対しても問題なく取り付けを行うことができるため、溶断作業に不自由をきたすことなく作業の安全化を図れる。
【００２０】
したがって、本発明により、従来安全性に問題のあった鉄筋の溶断作業において、火傷や火事等の危険から作業者を保護することができ、また設備コストも安く抑えられる鉄筋溶断用火の粉養生具を提供できることから、本発明の実用的利用価値は頗る高い。
【図面の簡単な説明】
【００２１】
【図１】本発明の実施例１における火の粉養生具を表わす全体斜視図である。
【図２】本発明の実施例１における火の粉養生具を表わす全体下面図である。
【図３】本発明の実施例１における火の粉養生具の取り付け状態を表わす正面図および側面図である。
【図４】本発明の実施例１における火の粉養生具の取り付け状態を表わす下側からみた断面図である。
【図５】本発明の実施例１における火の粉養生具の使用状態を表わす全体斜視図である。
【図６】本発明の実施例１における火の粉養生具の構造を表わす縦断面図である。
【図７】本発明の実施例２における火の粉養生具を表わす全体斜視図である。
【図８】本発明の実施例２における火の粉養生具の取り付け状態を表わす下側からみた断面図である。
【図９】本発明の実施例２における火の粉養生具の取り付け状態を表わす全体正面図である。
【図１０】本発明の変形例における火の粉養生具の屈曲片の形態を表わす全体側面図である。
【図１１】本発明の変形例における火の粉養生具の裏板の形態を表わす全体側面図である。
【発明を実施するための形態】
【００２２】
『実施例１』
まず本発明の実施例１について、図１から図６に基いて説明する。なお同図において、符号１で指示するものは火の粉養生具の器具本体であり、符号２で指示するものは楔形板材である。
【００２３】
この実施例１では、器具本体１をフロント面の中央に窓部11を備えたケース体(ステンレス製)から作製しており、また、ケース体のフロント面には前記窓部11を通るように断面が円弧状のガイド溝12を上下方向に設けている(図１、図２参照)。
【００２４】
また更に、上記器具本体１におけるケース下面のガイド溝12を挟む位置には、先端部分が下方向に折れ曲がったＵ字型の折返し部13aを有する屈曲片13・13を前方に突き出した状態で付設している。
【００２５】
一方、上記火の粉養生具には、器具本体１の他に楔形板材２も構成に含めている。ちなみに、この楔形板材２は、一方の端部から他端側に向けて次第に幅が拡がる形状を成し、前記器具本体１の屈曲片13・13の折返し部13a・13aの内側に挿入可能な大きさに設計されている。
【００２６】
そして図３(a)及び(b)に示すように、上記器具本体１のガイド溝12に異形鉄筋Ｒを遊嵌させた状態で、左右の屈曲片13・13の折返し部13a・13aと異形鉄筋Ｒの環状溝Ｄの間に楔形板材２を差し込めば器具本体１を異形鉄筋Ｒの所定位置に固定することができる。もちろん、縦向きに配置した異形鉄筋Ｒに対してだけでなく横向きに配置した異形鉄筋Ｒに対しても同様に取り付けが可能である
【００２７】
しかも、上記取り付け構造を採用したことにより、図４(a)に示すような大径の異形鉄筋Ｒであっても図４(b)に示すような小径の異形鉄筋Ｒであっても楔形板材２を差し込む深さを変えるだけで容易に取り付けが行えるため、径の異なる異形鉄筋にも使用することができる。
【００２８】
そして、図５(a)及び(b)に示すように、器具本体１を取り付けた状態で異形鉄筋Ｒをガスバーナーで加熱すれば、加熱部分から生じる火花や微小な溶融玉を窓部11からケース内に収容できるため、火の粉が周囲に飛散したり落下したりすることなく安全に溶断作業を行うことができる。
【００２９】
ちなみに実施例１では、溶断作業時にガスバーナーの炎が器具本体１のフロント面に当たらないように、また火花や溶融玉の受け入れ口を拡げるために窓部11の横幅をガイド溝12よりも大きく設計している。
【００３０】
また実施例１では、図６に示すように、器具本体１の後壁部Ｂの背面に裏板14を取り付けて、バーナーの炎や火の粉によって高温となった後壁部Ｂの熱を効率良く分散・吸収可能としており、これによって局所的な熱の蓄積を防止して後壁部Ｂの耐熱性を向上することができる。また裏板14によって放熱面積を増やすことで冷却効果の向上も期待できる。
【００３１】
また更に、実施例１においては、器具本体１の後壁部Ｂの外側にスペースを空けて外壁部Ｗを設けることでケース背面側を二重壁構造としている。そしてこれにより、壁間の中空部15が熱の伝達を遮断して断熱効果を得ることができるため、溶断作業後に器具本体１の背面が衣服や資材等に触れた場合でも衣服等が高温加熱により損傷する心配はない。
【００３２】
他方また実施例１では、上記器具本体１を容易に持ち運べるようにケース側面に把手部16を設けると共に、この把手部16に連結チェーン21を通して楔形板材２と器具本体１とを連結したことにより楔形板材２の使用中の落下や不使用時の紛失を防止できる。
【００３３】
『実施例２』
次に、本発明の実施例２について図７〜９に基いて以下に説明する。なお図中、符号３で指示するものは落下防止ワイヤである。この実施例２では、図７及び図８(a)に示すように、器具本体１のガイド溝12を使用する異形鉄筋Ｒの最大径よりも深く形成しており、これによって溶断時に飛び散った火の粉をケース内に収容し易くしている。
【００３４】
また、図８(b)に示すように、楔形板材２の差込み深さを変えることによって実施例１と同様、径の異なる異形鉄筋Ｒに器具本体１を取り付けることができる。また実施例２では、器具本体１を異形鉄筋Ｒに取り付ける際に、把手部16が隣りの鉄筋に接触して邪魔にならないように把手部16を前後方向に傾けて設けている。
【００３５】
そしてまた、実施例２では、図９に示すように、火の粉養生具の構成に両端部31・31が着脱自在な落下防止ワイヤ３を含めて、この落下防止ワイヤ３を器具本体１の把手部16を通して器具本体１の上方に配置された横架材と器具本体１とを連結することにより、使用中に衝撃等で楔形板材２が緩んだ場合でも器具本体１が落下しないようにしている。
【００３６】
本発明は、概ね上記のように構成されるが、本発明は図示の実施形態に限定されるものでは決してなく、「特許請求の範囲」の記載内において種々の変更が可能であって、例えば、器具本体１の材質は、耐熱性を有する材料ならば他の金属材料やセラミック材料等を使用してもよく、また高熱になり易い後壁部のみに部分的に耐熱性の高い材料を使用することもできる。
【００３７】
また、器具本体１の屈曲片13に関しても、先端が屈曲した棒状部材を使用しなくても、先端部に折返し部13aを備えた形状であれば、図１０(a)に示すような中央に細長い孔が空いた板材等を使用することもできる。
【００３８】
そしてまた、図１０(b)に示すように、屈曲片13・13を器具本体１の上下両方に設け、それぞれの屈曲片13・13’に楔形板材２・２を差込んで異形鉄筋Ｒを二箇所で固定することも可能であり、その場合には鉄筋を溶断した後、フリーになった上側の鉄筋が倒れ込むような事態を防止することができる。
【００３９】
他方また、器具本体１の後壁部Ｂに取り付ける裏板14についても、図１１(a)及び(b)に示すように放熱面積の大きい波型の板材や冷却フィンＦ・Ｆ…に変更することができ、また二重壁構造についても背面部分だけでなく器具本体１の側壁全体を二重壁とすることもできる
【００４０】
また、器具本体１と楔形板材２とを連結する連結チェーン21や、器具本体１と横架部材とを連結する落下防止ワイヤ３に関しても、それぞれ連結ワイヤや落下防止チェーンで代用することができ、何れのものも本発明の技術的範囲に属する。
【産業上の利用可能性】
【００４１】
近年、鉄筋コンクリート構造にみられるように異形鉄筋はコンクリート構造物に必須の補強材料となっている。また、高火力のガスバーナーを扱う鉄筋の加工現場においては、使用者は労働災害の防止に努める必要がある
【００４２】
そのような中で、本発明の鉄筋溶断用火の粉養生具は、火花や溶融玉から作業者を保護して安全性の向上を図ることができ、しかも、使用者の経済的負担も抑えられる有用な技術であることから、その産業上の利用価値は非常に高い。
【符号の説明】
【００４３】
１  器具本体
11  窓部
12  ガイド溝
13  屈曲片
13a  折返し部
14  裏板
15  中空部
16  把手部
２  楔形板材
21  連結チェーン
３  落下防止ワイヤ
31  端部
Ｒ  異形鉄筋
Ｄ  環状溝
Ｂ  後壁部
Ｗ  外壁部
Ｆ  冷却フィン
【要約】
【課題】  ガスバーナーを用いた異形鉄筋の溶断作業を周囲の作業者に危険を及ぼすことなく安全に行うことができ、しかも、径の異なる鉄筋にも使える経済的な鉄筋溶断用火の粉養生具を提供すること。
【解決手段】  フロント面の中央に窓部11を備え、かつ、フロント面に異形鉄筋Ｒを遊嵌可能なガイド溝12が前記窓部11を通るように上下方向に設けられたケース体であって、このケースの下面或いは上面のガイド溝12を挟む位置に、先端に上下方向の折返し部13aを有する屈曲片13・13が前方に突き出した状態で付設されて成る器具本体１と；一方の端部から他端側に向けて次第に幅が拡がる形状を成す楔形板材２とを含んで構成した。
【選択図】  図１【図１】
0004665058.tif 000002
【図２】
0004665058.tif 000003
【図３】
0004665058.tif 000004
【図４】
0004665058.tif 000005
【図５】
0004665058.tif 000006
【図６】
0004665058.tif 000007
【図７】
0004665058.tif 000008
【図８】
0004665058.tif 000009
【図９】
0004665058.tif 000010
【図１０】
0004665058.tif 000011
【図１１】
0004665058.tif 000012